(57)【要約】      （修正有）【課題】スーツケースの組み合わせ及びそのスーツケースを提供する。【解決手段】スーツケースの組み合わせ１００及びそのスーツケース１は、スーツケースは可動裏地９０に取り外し可能に結合され、可動裏地は複数の位置決めベルト９２を備える。スーツケースは２つのケース１０及び複数の位置決め板２０を含む。各ケースは開口部１１を有する。複数の位置決め板は２つのケースの開口部に設置され、複数の位置決め板の位置は複数の位置決めベルトに対応し、複数の位置決め板が複数の位置決めベルトにそれぞれ結合されることにより、可動裏地が位置決めされると共にスーツケースに結合される。【選択図】図１
0003225244.tif 000002
【実用新案登録請求の範囲】
【請求項１】
可動裏地に取り外し可能に結合され、前記可動裏地は複数の位置決めベルトを備えるスーツケースであって、
開口部を各々有する２つのケースと、
前記２つのケースの前記開口部に設置される複数の位置決め板であって、前記複数の位置決め板の位置は前記複数の位置決めベルトに対応し、前記複数の位置決め板が前記複数の位置決めベルトにそれぞれ結合されることにより、前記可動裏地が位置決めされると共に前記スーツケースに結合されることと、を含むことを特徴とするスーツケース。
【請求項２】
各位置決め板は本体及び孔部を備え、前記孔部は前記本体に設けられることを特徴とする請求項１に記載のスーツケース。
【請求項３】
前記２つのケースの前記開口部にそれぞれ設置される２つの環状フレームを更に備え、前記複数の位置決め板は前記２つの環状フレームにそれぞれ連接されることを特徴とする請求項２に記載のスーツケース。
【請求項４】
各開口部は２つの長辺及び２つの短辺を備え、前記複数の位置決め板の数量は２０個であり、各長辺には３つの位置決め板が設けられ、各短辺には２つの位置決め板が設けられることを特徴とする請求項３に記載のスーツケース。
【請求項５】
前記本体はＵ型金属片であることを特徴とする請求項４に記載のスーツケース。
【請求項６】
複数の位置決めベルトを含む可動裏地と、
前記可動裏地に取り外し可能に結合されるスーツケースと、を備え
前記スーツケースは、
開口部を各々有する２つのケースと、
前記２つのケースの前記開口部に設置される複数の位置決め板であって、前記複数の位置決め板の位置は前記複数の位置決めベルトに対応し、前記複数の位置決め板が前記複数の位置決めベルトにそれぞれ結合されることにより、前記可動裏地が位置決めされると共に前記スーツケースに結合されることと、を含むことを特徴とするスーツケースの組み合わせ。
【請求項７】
各位置決め板は本体及び孔部を備え、前記孔部は前記本体に設けられることを特徴とする請求項６に記載のスーツケースの組み合わせ。
【請求項８】
前記スーツケースは、前記２つのケースの前記開口部にそれぞれ設置される２つの環状フレームを更に備え、前記複数の位置決め板は前記２つの環状フレームにそれぞれ連接されることを特徴とする請求項７に記載のスーツケースの組み合わせ。
【請求項９】
各開口部は２つの長辺及び２つの短辺を備え、前記複数の位置決め板の数量は２０個であり、各長辺には３つの位置決め板が設けられ、各短辺には２つの位置決め板が設けられることを特徴とする請求項８に記載のスーツケースの組み合わせ。
【請求項１０】
前記可動裏地はジッパーを更に備え、前記複数の位置決めベルトは前記ジッパーの両側にそれぞれ設置されることを特徴とする請求項９に記載のスーツケースの組み合わせ。
【考案の詳細な説明】
【技術分野】
【０００１】
本考案は、スーツケースの組み合わせ及びそのスーツケースに関し、より詳しくは、簡単に組み合わせ可能なスーツケースに取り外し可能に結合される可動裏地を有し、可動裏地が位置決めされるスーツケースの組み合わせ及びそのスーツケースに関する。
【背景技術】
【０００２】
現在市場に存在するスーツケースはどれも内部に柔軟な裏地を有し、裏地は荷物に対する免震緩衝効果を提供し、電子装置等の荷物が旅行中に衝撃を受けて壊れないようにする。
【考案の概要】
【考案が解決しようとする課題】
【０００３】
しかしながら、従来の裏地は全てスーツケースのケース体に縫い付けられて固定されており、取り外して洗うことができないため、使用者が必要に応じて別の材質や色の裏地に交換することができず、裏地の機能も単一で柔軟性がなかった。
【０００４】
このため、あるメーカーではスーツケースから取り出して洗浄や交換可能な可動式の裏地を研究開発した。然しながら、前記可動式の裏地はスーツケース内に設置されるのみで、可動式の裏地がケースに固定されるわけではないため、可動式の裏地がすぐに変位したり窪んで皺になることが多く、使用者の悪い印象を与えた。よって、裏地に簡単に結合でき、裏地を位置決めさせることが可能な新しいスーツケース構造を提供する必要があった。
【０００５】
そこで、本考案者は上記の欠点が改善可能と考え、鋭意検討を重ねた結果、合理的設計で上記の課題を効果的に改善する本考案の提案に至った。
【０００６】
本考案は、このような従来の問題に鑑みてなされたものであり、その目的とするところは、スーツケースの組み合わせ及びそのスーツケースを提供することにある。すなわち、簡単に組み合わせ可能なスーツケースに取り外し可能に結合される可動裏地を有し、可動裏地を位置決めさせる。
【課題を解決するための手段】
【０００７】
上記課題を解決するために、本考案のある態様のスーツケースは可動裏地に取り外し可能に結合可能であり、可動裏地は複数の位置決めベルトを備える。スーツケースは２つのケース及び複数の位置決め板を含む。各ケースは開口部を有する。複数の位置決め板は２つのケースの開口部に設置され、複数の位置決め板の位置は複数の位置決めベルトに対応し、複数の位置決め板が複数の位置決めベルトにそれぞれ結合されることにより、可動裏地が位置決めされると共にスーツケースに結合される。
【０００８】
本考案の一態様によれば、各位置決め板は本体及び孔部を備え、孔部は本体に設置される。
【０００９】
本考案の一態様によれば、スーツケースは、２つのケースの開口部にそれぞれ設置される２つの環状フレームを更に備え、複数の位置決め板は２つの環状フレームにそれぞれ連接される。
【００１０】
本考案の一態様によれば、各開口部は２つの長辺及び２つの短辺を備える。複数の位置決め板の数量は２０個であり、各長辺には３つの位置決め板が設けられ、各短辺には２つの位置決め板が設けられる。
【００１１】
本考案の一態様によれば、本体はＵ型金属片である。
【００１２】
本考案の別の態様は、スーツケースの組み合わせである。このスーツケースの組み合わせは、裏地に簡単に結合でき、裏地が位置決めされる。
【００１３】
上記目的を達成するため、本考案に係るスーツケースの組み合わせは、可動裏地及びスーツケースを備える。可動裏地は複数の位置決めベルトを含む。スーツケースは可動裏地に取り外し可能に結合可能である。スーツケースは２つのケース及び複数の位置決め板を具備する。各ケースは開口部を有する。複数の位置決め板は２つのケースの開口部に設置され、複数の位置決め板の位置は複数の位置決めベルトに対応し、複数の位置決め板が複数の位置決めベルトにそれぞれ結合されることにより、可動裏地が位置決めされると共にスーツケースに結合される。
【００１４】
本考案の一態様によれば、可動裏地はジッパーを更に備え、複数の位置決めベルトはジッパーの両側にそれぞれ設置される。
【図面の簡単な説明】
【００１５】
【図１】本考案の可動裏地とスーツケースが分離されたスーツケースの組み合わせの一実施例を示す概略図である。
【図２】本考案の位置決め板と環状フレームの一実施例を示す概略図である。
【図３】本考案の可動裏地とスーツケースが組み立てられたスーツケースの組み合わせの一実施例を示す概略図である。
【考案を実施するための形態】
【００１６】
以下、本開示の実施形態について図面を用いて説明する。なお、本開示は、下記の実施形態に何ら限定されることはなく、本開示の技術的範囲に属する限り種々の形態を採りうる。
【００１７】
以下、図１〜３を参照しながら、本考案のスーツケースの組み合わせをさらに詳しく説明する。図１は本考案の可動裏地とスーツケースが分解したスーツケースの組み合わせの一実施例を示す概略図である。図２は本考案の位置決め板と環状フレームの一実施例を示す概略図である。図３は本考案の可動裏地とスーツケースが組み立てられたスーツケースの組み合わせの一実施例を示す概略図である。
【００１８】
図１乃至図３に示されるように、本考案の一実施例では、スーツケースの組み合わせ１００はスーツケース１及び可動裏地９０を備える。可動裏地９０はスーツケース１に取り外し可能に結合可能であり、荷物を覆って荷物に対する緩衝及び保護機能を提供する。可動裏地９０はスーツケース１から取り出して洗浄や交換可能である。可動裏地９０はジッパー９１と、２０個の位置決めベルト９２と、２つのハンドル９３と、２つのバッグ体９４と、含む。ジッパー９１は２つのバッグ体９４を対向させて開け閉めさせるために用いられる。２つのバッグ体９４が閉められると、六面体形状のバッグとなる。２０個の位置決めベルト９２のうちの１０個の位置決めベルト９２が何れか１つのバッグ体９４に連接され、他の１０個の位置決めベルト９２が他のバッグ体９４に連接される。１０個の位置決めベルト９２はジッパー９１の上側に位置されると共にジッパー９１に沿って設置され、他の１０個の位置決めベルト９２はジッパー９１の下側に位置されると共にジッパー９１に沿って設置される。２つのハンドル９３は２つのバッグ体９４にそれぞれ連接され、２つのハンドル９３は使用者が握るために用いられ、使用者が閉めると可動裏地９０がハンドバッグとして荷物を収納し携帯可能となる。
【００１９】
図１乃至図３に示されるように、本考案の一実施例では、スーツケース１は２つのケース１０と、２０個の位置決め板２０と、２つの環状フレーム３０と、を備える。２つのケース１０は相互に枢着される。各ケース１０は開口部１１を有する。各開口部１１は２つの長辺１１１及び２つの短辺１１２を含む。２つのバッグ体９４は２つのケース１０内にそれぞれ設置され、スーツケース１内の荷物を覆う。
【００２０】
本考案の一実施例では、２０個の位置決め板２０は金属片であり、２つのケース１０の開口部１１に設置される。２０個の位置決め板２０の位置は２０個の位置決めベルト９２の位置に相互に対応し、各長辺１１１には３つの位置決め板２０が設けられ、各短辺１１２には２つの位置決め板２０が設けられる。何れか１つのケース１０の位置決め板２０と他の１つのケース１０の位置決め板２０とが互いに対称になり、使用者が２つのケース１０の位置を合わせてスーツケース１を閉める際にガイドする。２０個の位置決め板２０が２０個の位置決めベルト９２にそれぞれ結合されることにより、可動裏地９０が位置決めされると共にスーツケース１に結合される。各位置決め板２０は本体２１及び孔部２２を備え、孔部２２は本体２１に設置される。本体２１はＵ型金属片であり、Ｕ型の本体２１が位置決めベルト９２に係合され、係合された位置決めベルト９２が位置決めされる。孔部２２は使用者が荷物を結び付けるために用いられ、例えば、ストラップが取り付けられた証明書ケースが結び付けられる。然しながら、位置決め板２０及び位置決めベルト９２の数量は２０個に限られず、位置決め板２０及び位置決めベルト９２の数量は設計に応じて改変可能である。例えば、位置決め板２０の数量が８個に改変され、各長辺１１１及び短辺１１２が全て１つの位置決め板２０のみを有し、位置決めベルト９２の位置及び数量も位置決め板２０に対応するように改変されてもよい。
【００２１】
本考案の一実施例では、２つの環状フレーム３０は金属フレームであり、２つの環状フレーム３０は２つのケース１０の開口部１１にそれぞれ覆設され、且つ２０個の位置決め板２０は２つの環状フレーム３０にそれぞれ連接される。位置決め板２０の金属片は環状フレーム３０の金属フレームと一体成形される構造として設計されてもよく、位置決め板２０及び環状フレーム３０の構造が更に堅固になる。
【００２２】
図１乃至図３に示されるように、本考案の一実施例では、使用者が可動裏地９０をスーツケース１内に取り付ける場合、使用者はジッパー９１を引いて開け、２つのバッグ体９４を開く。次に、使用者は２つのバッグ体９４を開いたスーツケース１の２つのケース１０内にそれぞれ設置する。そして、使用者は開口部１１の周囲に設置される各位置決め板２０の本体２１を各位置決めベルト９２にそれぞれ係合させ、可動裏地９０をスーツケース１に堅固に結合させ、且つバッグ体９４の四辺の位置決めベルト９２を位置決め板２０にそれぞれ係合させ、バッグ体９４を平坦に保持させて過度に凹んで皺にならないようにする。これにより、可動裏地９０全体が綺麗に整えられた外観を保ち、平坦な可動裏地９０が荷物を適切に覆って荷物に対して良好な緩衝及び保護機能を提供する。
【００２３】
また、図１乃至図３に示されるように、使用者の荷物にロープ類の物品がある場合（例えば、証明書ケースのストラップやキーチェーン）、前記物品を位置決め板２０の孔部２２に結び付けて使用者が使用可能にする。使用者がスーツケース１を閉める場合、２つのケース１０の位置決め板２０が互いに対称になっているため、使用者が何れか１つのケース１０の位置決め板２０を他のケース１０の位置決め板２０に位置を合わせられるようになり、スーツケース１を素早く閉められるようになる。使用者の荷物が多すぎ、スーツケース１内に全て入れられない場合、使用者は各位置決めベルト９２と各位置決め板２０とを分離させ、余った荷物をバッグ体９４内に入れ、ジッパー９１を閉めれば可動裏地９０をハンドバッグとして使用可能になる。
【００２４】
本考案に係るスーツケースの組み合わせ１００の構造設計により、使用者は可動裏地９０及びスーツケース１を簡単に安定的に結合可能となり、且つ可動裏地９０が位置決めされて平坦に保持される。これにより、可動裏地９０が過度に窪んで皺になることがなくなり、可動裏地９０全体が綺麗に整った外観を保ち、平坦な可動裏地９０により荷物が適切に覆われ、荷物に対して良好な緩衝及び保護機能が提供される。また、位置決め板は使用者が２つのケースを素早く位置を合わせてスーツケース１を閉められるようにし、且つ位置決め板の孔部は使用者がストラップ等の荷物を結び付けれるようにし、収納を便利にする。
【００２５】
以上、本考案の実施形態について図面を参照して詳述したが、具体的な構成はこの実施形態に限られるものではなく、本考案の要旨を逸脱しない範囲の設計変更等も含まれる。
【符号の説明】
【００２６】
１  スーツケース
１０  ケース
１１  開口部
１１１  長辺
１１２  短辺
２０  位置決め板
２１  本体
２２  孔部
３０  環状フレーム
９０  可動裏地
９１  ジッパー
９２  位置決めベルト
９３  ハンドル
９４  バッグ体
１００  スーツケースの組み合わせ
【図１】
0003225244.tif 000003
【図２】
0003225244.tif 000004
【図３】
0003225244.tif 000005